(57)【特許請求の範囲】
【請求項１】
水洗いされた洋服の襟部を型崩れさせることなく保形する洋服の襟保形具であって、洋服の上襟を内外から挟持する第１挟持板と第２挟持板とを備え、この第１挟持板と第２挟持板とを平面から見て円弧状に湾曲させ、上記第１挟持板および第２挟持板の上辺部に、後方側に向けて突出する突条を設けることにより上記上辺部を断面Ｌ字状に形成し、かつ第１挟持板および第２挟持板の少なくとも一方の上端部に円弧状の膨出部を設けたことを特徴とする洋服の襟保形具。
【請求項２】
上襟の上端面に沿って伸びる上辺部を備え、この上辺部に、第１挟持板および第２挟持板を一体に突設するとともに、この第１挟持板と第２挟持板との間に上襟を挟持する隙間を設けたことを特徴とする請求項１記載の洋服の襟保形具。
【請求項３】
第１挟持板および第２挟持板の少なくとも一方の下端から外方側に伸びるガイド部を設けたことを特徴とする請求項１または請求項２記載の洋服の襟保形具。
【請求項４】
上記第１挟持板および第２挟持板の一方を左右に配設するとともに、その間に同他方を配設したことを特徴とする請求項１〜請求項３のいずれかに記載の洋服の襟保形具。
【発明の詳細な説明】
【０００１】
【発明の属する技術分野】
本発明は、洋服の襟部を型崩させることなく適正に保形する洋服の襟保形具に関するものである。
【０００２】
【従来の技術】
一般に、羊毛、絹等の動物繊維からなる洋服は、水を使用することなく有機溶剤によって汚れの主成分である脂肪質等を溶解させるドライクリーニング法によって洗濯されていた。このドライクリーニング法では、汗等の水溶性の汚れを落すのが困難であるとともに、有機溶剤によって環境に悪影響が与えられる虞があるため、水と洗剤とを使用するウェットクリーニング法によってジャケット等の洋服を水洗いする方法が提案されている。
【０００３】
しかし、上記ジャケット等の洋服を水洗いした場合には、これを適正形状に保持した状態で乾燥させないと、洋服に型崩れが生じ易いという問題がある。特に洋服の襟部に型崩れが生じて、襟部の内面に取り付けられた芯地（カラークロス）が外部に露出した状態となると、外観が著しく損なわれるという問題がある。このため、例えば特開昭５８−３０９６５号公報に示されるように、可撓性を有するシート状素材からなる襟保持部材を襟部内に設置することにより、この襟部の形状を効果的に保持することが行われている。
【０００４】
【発明が解決しようとする課題】
上記公報に開示された襟保形部材は、ワイシャツの首部に設けられたボタンに係止されることにより、その抜け落ちを防止するように構成されているため、首部にボタンが設けられていないスーツの上衣またはジャケット等には使用することができないという欠点がある。また、上記襟保形部材は、ワイシャツの襟部内に設置されてこの襟部を円弧状に湾曲させた形状に保持するように構成されているため、上襟の折り返し部が捲れ上がるように変形するのを抑制することが困難であり、上記芯地が外部に露出した状態となる型崩れが生じるのを効果的に防止できないという問題がある。
【０００５】
本発明は、このような事情に鑑み、簡単な構成で水洗いされた洋服の上襟を適正に保形し、その型崩れを効果的に防止することができる洋服の襟保形具を提供するものである。
【０００６】
【課題を解決するための手段】
請求項１に係る発明は、水洗いされた洋服の襟部を型崩れさせることなく保形する洋服の襟保形具であって、洋服の上襟を内外から挟持する第１挟持板と第２挟持板とを備え、この第１挟持板と第２挟持板とを平面から見て円弧状に湾曲させ、上記第１挟持板および第２挟持板の上辺部に、後方側に向けて突出する突条を設けることにより上記上辺部を断面Ｌ字状に形成し、かつ第１挟持板および第２挟持板の少なくとも一方の上端部に円弧状の膨出部を設けたものである。
【０００７】
上記構成によれば、第１挟持板と第２挟持板とによって洋服の上襟を挟持するように襟保形具が取り付けられることにより、上記上襟が円弧状に湾曲した状態に保形されることになる。
【０００８】
請求項２に係る発明は、上記請求項１記載の洋服の襟保形具において、上襟の上端面に沿って伸びる上辺部を備え、この上辺部に、第１挟持板および第２挟持板を一体に突設するとともに、この第１挟持板と第２挟持板との間に上襟を挟持する隙間を設けたものである。
【０００９】
上記構成によれば、第１挟持板および第２挟持板が洋服の上襟に外嵌されて襟保形具が取り付けられることにより、上記上襟が円弧状に湾曲した状態に保形されることになる。
【００１０】
請求項３に係る発明は、上記請求項１または請求項２記載の洋服の襟保形具において、第１挟持板および第２挟持板の少なくとも一方の下端部から外方側に伸びるガイド部を設けたものである。
【００１１】
上記構成によれば、洋服の上襟に襟保形具を取り付ける際に、上記ガイド部を案内面として利用することにより、上記襟保形具の取付作業が容易に行われることになる。
【００１２】
請求項４に係る発明は、上記請求項１〜請求項３のいずれかに記載の洋服の襟保形具において、上記第１挟持板および第２挟持板の一方を左右に配設するとともに、その間に同他方を配設したものである。
【００１３】
上記構成によれば、洋服の上襟の左右および中央部が第１挟持板と第２挟持板とによって内外から挟持されることにより、上記上襟が広範囲に亘って適正形状に保形されることになる。
【００１４】
【発明の実施の形態】
図１〜図３は、本発明に係る洋服の襟保形具３０の実施形態を示している。この洋服の襟保形具３０は、プラスチック材等からなる上辺部３１と、この上辺部３１の中央部から下方に伸びる第１挟持板３２と、上記上辺部３１の左右両側方部から下方に伸びる一対の第２挟持板３３とを有している。上記上辺部３１は、洋服の上襟に沿って円弧状に伸びるとともに、第１挟持板３２および第２挟持板３３は、平面から見て、洋服の上襟に対応した曲率で円弧状に湾曲するように形成されている。
【００１５】
上記上辺部３１は、後方側に突出する所定幅の突条３４が上端部に突設されることによって断面形状が逆Ｌ字状に形成され、この上辺部３１の下端部に上記第１挟持板３２および第２挟持板３３が一体に突設されている。また、第２挟持板３３には、その上端部に外方側に突出する円弧状の膨出部３５が形成されるとともに、斜め外方側に伸びるガイド部３６が下端部に形成されている。
【００１６】
上記第１挟持板３２と、第２挟持板３３との間には、洋服の上襟を挟持する隙間３７が形成されている。この隙間３７は、図４に示すように、洋服の首部上縁３８と、この首部上縁３８の外面側に折り返された所定幅の折り返し部３９と、この折り返し部３９および上記首部上縁３８の内面に取り付けられた芯地（カラークロス）４０とからなる上襟４１の厚さよりもやや小さく設定されている。そして、図４および図５に示すように、上記襟保形具３０が洋服の上襟４１に取り付けられ、第１挟持板３２が洋服の上襟４１の内面側に設置されるとともに、第２挟持板３３が洋服の上襟４１の外面側に設置されることにより、洋服の上襟４１が襟保形具３０の第１挟持板３２と第２挟持板３３とによって内外から挟持されるようになっている。
【００１７】
また、図６〜図８は、上記襟保形具３０と併せて使用される立体ハンガーを示し、この立体ハンガーは、ハンガー本体１と、このハンガー本体１の上端部に設けられた吊下用フック２と、ハンガー本体１の左右両側辺部に上下に離間した状態で取り付けられた第１〜第６ウイング３〜８とを有している。
【００１８】
上記第１〜第６ウイング３〜８は、上下方向に所定間隔を置いてハンガー本体１に取り付けられるとともに、平面から見て所定の大きさで略Ｕ字状に形成されることにより、人体の上半身に対応した立体形状を構成している。すなわち、最上方に位置する第１ウイング３が最も小さく形成されるとともに、下方に位置するものほど段階的に大きく形成されることにより、各ウイング３〜８の外周面を結ぶラインによって人体の首部から肩部に対応した立体形状が構成されている。
【００１９】
この実施形態では、各ウイング３〜８の前辺部を直線状に形成するとともに、各ウイング３〜８の側辺部および後辺部を、人間の上半身に対応した形状に湾曲させている（図７および図８参照）。例えば、成人の標準体形をコンピュータ解析する等によって得られた上半身の体形データに基づいて、各ウイング３〜８の側辺部および後辺部を結ぶラインが、人間の上半身に対応した曲線を構成するように、上記側辺部および後辺部の外形が設定されている。
【００２０】
また、立体ハンガーの使用時に、洋服の荷重が集中的に作用する肩部上端のコーナー部に位置する第５ウイング７は、図６および図１０の仮想線に示すように、外周部の上下寸法等が他のウイング３〜６，８に比べて大きく形成されるとともに、図７に示すように、第５ウイング７の前辺部と後辺部とが複数の補強リブ７１を介して互いに連結されている。これによって立体ハンガーの使用時に、洋服の重量が上記第５ウイング７に集中的に作用した場合においても、この第５ウイング７の強度が充分に確保されることになる。
【００２１】
上記第１〜第６ウイング３〜８の基端部内面には、図９に示すように、揺動支点となる支持ピン９と、上記各ウイング３〜８の揺動変位を規制することによって各ウイング３〜８を拡開状態および折畳み状態に係脱可能に係止する半球状の突部１０とがそれぞれ突設され、上記支持ピン９を支点にして各ウイング３〜８が揺動可能な状態でハンガー本体１に支持されている。なお、図９は、第２ウイング４について図示したものであるが、他のウイングについても同様に構成されている。
【００２２】
上記ハンガー本体１は、図１０に示すように、前面板１０および背面板１１と、天板１２および底板１３とを備えた上窄まり形状の箱状体からなり、上記前面板１０の下方部と背面板１１の下方部とが連結プレート１４で連結されるとともに、上記天板１２の下面には吊下用フック２の取付部となる筒状部１５が突設されている。上記背面板１１は、第１ウイング３の設置部において上記前面板１０との間隔が最も狭く形成されるとともに、下方に位置する第２〜第５ウイングの設置部において上記前面板１０との間隔が次第に広くなるように、側面から見て階段状に形成されている。
【００２３】
また、ハンガー本体１の下部には、上方に突出するように湾曲した上記襟保形具３０の保持板４２が設けられている。そして、襟保形具３０の不使用時に、その第１挟持板３２と第２挟持板３３とが上記保持板４２に外嵌されることにより、襟保形具３０がハンガー本体１内に収容された状態で保持されるようになっている（図１３参照）。
【００２４】
上記ハンガー本体１の前面板１０および後面板１１には、図１１に示すように、第１〜第６ウイング３〜８の支持ピン９が挿入される支持孔１６が各ウイング３〜８の取付部にそれぞれ設けられるとともに、上記支持孔１６の内側方部および下方部には、各ウイング３〜８の突部１０が係合される半球状の第１凹部１７と第２凹部１８とがそれぞれ形成されている。また、上記第１凹部１７の上方には、各ウイング３〜８の基端部上面にそれぞれ当接して各ウイング３〜８を水平に拡開した状態に保持する第１突片１９が突設されている。さらに、上記第２凹部１８の外側方には、上記支持ピン９の設置部よりも外側方側に位置する部分の下面にそれぞれ当接して各ウイング３〜８を水平に拡開した状態に保持する第２突片２０が突設されている。
【００２５】
上記各ウイング３〜８の設置部に形成された各支持孔１６は、それぞれ上記前面板１０の外側辺部に沿って設置されている。これによって上記各支持孔１６に挿入される支持ピン９は、下方に位置するものほど、ハンガー本体１の中央部までの距離が次第に大きくなるように配列されることになる。
【００２６】
そして、立体ハンガーの使用時には、各ウイング３〜８の突部１０がハンガー本体１の第１凹部１７に嵌入されることにより、図６および図８に示すように、各ウイング３〜８が水平に拡開された状態に係止され、かつ各ウイング３〜８の基端部上面が上記第１突片１９の下面に当接するとともに、上記支持ピン９の設置部よりも外側方側に位置する部分の下面が上記第２突片２０の上面に当接することにより、各ウイング３〜８がそれぞれ上記拡開状態で保持されるようになっている。また、立体ハンガーの不使用時には、上記突部１０がハンガー本体１の第２凹部１８内に嵌入されることにより、図１２および図１３に示すように、各ウイング３〜８が鉛直方向に折畳まれた状態に係止されることになる。
【００２７】
上記吊下用フック２は、図１４に示すように、円弧状のフック本体２１と、このフック本体２１の下端部から下方に伸びる取付部２２とを有し、この取付部２２には、その下端部から上方に伸びるスリット２３が形成されている。また、上記取付部２２の下端部には、先窄まりのテーパ面を有する逆止突起２４が形成されるとともに、上記取付部２２の上部外周には、リング状の係止部２５が形成されている。そして、上記逆止突起２４のテーパ面がハンガー本体１の筒状部１５に圧接され、上記スリット２３の開口幅が狭められた状態で、図１５に示すようにフック２の取付部２２が上記筒状部１５内に挿入されて回動自在に支持されるように構成されている。
【００２８】
上記襟保形具３０および立体ハンガーを使用して水洗いされた洋服を乾燥させる場合には、この洋服の上襟４１に対してその上方から襟保形具３０の第１挟持板３２と第２挟持板３３とを外嵌することにより、図４および図５に示すように、第１挟持板３２を上襟４１の内面側に設置するとともに、第２挟持板３３を上襟４１の外面側に設置した状態で、上記襟保形具３０を洋服の上襟４１に取り付ける。このようにして洋服の上襟４１が、上記第２挟持板３２と第２挟持板３３とにより内外から挟持された状態で適正に保形される。
【００２９】
上記襟保形具３０を上襟４１に取り付ける際に、第２挟持板３３の下端部に設けられたガイド部３６を案内面として利用し、このガイド部３６を上記上襟４１に沿って摺動させることにより、上記第１挟持部３２および第２挟持部３３を上襟４１に対して容易に外嵌することができる。また、上記第１挟持部３２および第２挟持部３３を上襟４１に外嵌する際に、第２挟持部３３の上端部に設けられた円弧状の膨出部３５を弾性変形させて第２挟持板３３を揺動変位させることより、両挟持板３２，３３の間隔を広げた状態で、上記襟保形具３０を洋服の上襟４１に対して容易に取り付けることができる。
【００３０】
また、上記立体ハンガーの各ウイング３〜８を水平に拡開した状態で係止するとともに、上記吊下用フック２を物干し竿等に引掛て立体ハンガーを吊下した状態で、上記襟保形具３０が上襟４１に取り付けられた洋服を各ウイング３〜８に保持させる。このようにして上記水洗いされた洋服の上襟４１を襟保形具３０によって保形するとともに、洋服の肩部等を各ウイング３〜８によって立体形状に保持した状態で洋服を乾燥させる。
【００３１】
なお、上記立体ハンガーの不使用時には、各ウイング３〜８に形成された半球状の突部１０を、ハンガー本体１の第１凹部１７から離脱させて各ウイング３〜８の係止状態を解除した後、各ウイング３〜８を起立させる方向に揺動変位させるとともに、上記突部１０をハンガー本体１の第２凹部１８に係合させることにより、各ウイング３〜８を折畳み状態に係止する。また、吊下用フック２の取付部２２を、図１５の実線で示す上方の引出状態から、図１５の仮想線で示すように押し下げることにより格納状態に移行させる。さらに、上記襟保形具３０をハンガー本体１に設けられた保持板４２に外嵌して保持させるようにする。
【００３２】
このように洋服の上襟４１を内外から挟持する第１挟持板３２と第２挟持板３３とを設け、この第１挟持板３２と第２挟持板３３とを、平面から見て円弧状に湾曲させたため、上記第１挟持板３２および第２挟持板３３を有する襟保形具３０によって洋服の上襟４１を保形してその型崩れを防止した状態で、水洗いされた洋服を適正に乾燥することができる。
【００３３】
すなわち、上記第１挟持板３２と第２挟持板３３とによって洋服の上襟４１を内外から挟持し、その折り返し部３９が捲れ上がるのを防止しつつ、上記上襟４１を平面から見て円弧状に湾曲させた状態で、洋服を乾燥させることができるため、上記上襟４１の折り返し部３９が捲れ上がるような型崩れが生じるのを効果的に防止し、これによって上襟４１内に配設された芯地４０を外部に露出させることなく、水洗いされた洋服を適正に乾燥することができる。しかも、襟保形具３０の第１挟持板３２と第２挟持板３３と洋服の上襟４１に外嵌することにより、上記襟保形具３０が離脱するのを効果的に防止した状態で、スーツの上衣またはジャケット等からなる洋服の上襟４１に上記襟保形具３０を容易かつ適正に取り付けることができる。
【００３４】
また、上記実施形態では、上襟４１の上端面に沿って伸びる上辺部３１を設け、この上辺部３１に、第１挟持板３２および第２挟持板３３を一体に突設するとともに、この第１挟持板３２と第２挟持板３３との間に上襟４１を挟持する隙間３８を設けたため、第１挟持板３２および第２挟持板３３を洋服の上襟４１に外嵌するだけで、この上襟４１を襟保形具３０によって適正に保形することができるとともに、上襟４１に取り付けられた襟保形具３０を上方に引っ張るだけで容易に取り外すことができる。
【００３５】
特に、上記のように上襟４１の上端面に沿って伸びる上記上辺部３１に、前後方向に突出する突条３４を設けたため、この突条３４によって襟保形具３０の上部を効果的に補強してその破損を防止することができるとともに、洋服の上襟４１に取り付けられた襟保形具３０を取り外す際に、上記突条３４を取手として利用することにより、上記襟保形具３０の取外し作業を容易に行うことができるという利点がある。
【００３６】
また、上記実施形態では、第２挟持板３３の下端部に外方側に伸びるガイド部３６を設けたため、上記襟保形具３０を洋服の上襟４１に取り付ける際に、上記ガイド部３６を案内面として使用し、このガイド部３６を上記上襟４１に沿って摺動させることにより、襟保形具３０を洋服の上襟４１に容易に取り付けることができる。なお、第２挟持板３３の下端部に設けられた上記ガイド部３６に代え、あるいはこのガイド部３６と併せて第１挟持板３２の下端部に外方側に伸びるガイド部を設けた構造としてもよい。
【００３７】
さらに、上記実施形態に示すように、第２挟持板３３の上端部に円弧状の膨出する膨出部３５を設けた場合には、上記第１挟持部３２および第２挟持部３３を上襟４１に外嵌する際に、上記円弧状の膨出部３５を弾性変形させて第２挟持板３３を揺動変位させることができるため、両挟持板３２，３３の間隔を広げることによって上記襟保形具３０の取付作業を容易に行うことができる。なお、第２挟持板３３の上端部に設けられた上記膨出部３５に代え、あるいはこの膨出部３５と併せて第１挟持板３２の上端部に円弧状の膨出部を設け、この膨出部を弾性変形させて第１挟持板３２を揺動変位させるように構成してもよい。
【００３８】
また、上記実施形態では、左右一対の第２挟持板３３を設けるとともに、その間に第１挟持板３２を配設したため、この第１挟持板３２を上襟４１の内面中央部に設置するとともに、上記両第２挟持板３３を上襟４１の外面左右に設置して上記第１挟持板３２と両第２挟持板３３とによって上襟４１を内外から挟持することにより、この上襟４１を広範囲に亘って適正に保形することができる。
【００３９】
しかも、上記のように左右の第２挟持板３３の間に第１挟持板３２を配設するように構成した場合には、所定長さの第１挟持板と第２挟持板とを相対向して設置するように構成した場合に比べて、襟保形具３０の重量を軽量化することができるとともに、洋服の上襟４１に対する襟保形具３０の取付作業を容易に行うことができるという利点がある。なお、上記構成に代え、上襟４１の内面側に左右一対の第１挟持板を配設するとともに、この両第１挟持板の間に第２挟持板を配設してこの第２挟持板を上襟４１の外面側に設置するように構成してもよい。
【００４０】
また、上記実施形態に示すように、ハンガー本体１の左右両側辺部に第１〜第６ウイング３〜８を上下方向に離間させた状態で取り付け、各ウイング３〜８の外周面によって人体の首部から肩部に対応した立体形状が形成されるように各ウイング３〜８の大きさおよび形状をそれぞれ設定してなる立体ハンガーを、上記襟保形具３０と併せて使用した場合には、水洗いされた洋服の上部全体を型崩れさせることなく、立体形状に保持した状態で適正に乾燥させることができる。しかも、上記のように各ウイング３〜８を上下方向に離間させた状態で配列したため、洋服の内面が広範囲に亘ってハンガーに密着されることがなく、洋服の通気性を充分に確保して洋服を迅速に乾燥させることができる。
【００４１】
特に、上記実施形態に示すように、成人の標準体形をコンピュータ解析することにより得られた体形データ等に基いて、各ウイング３〜８の側辺部および後辺部を結ぶラインを人間の上半身に対応した形状に湾曲させた場合には、高剛性の芯地がないために、前面部に比べて型崩れを生じ易いジャケット等の側面部および後面部を、上記各ウイング３〜８によって人体の首部から肩部に対応した立体形状に適正に保持し、上記ジャケット等の型崩れを効果的に防止することができる。なお、洋服の前面部が型崩れするのを効果的に防止できるようにするため、上記各ウイング３〜８の前辺部を人間の胸部に対応した形状に形成してもよい。
【００４２】
また、上記各ウイング３〜８をハンガー本体１に固定した構造としてもよいが、上記実施形態に示すように、各ウイング３〜８の基端部に設けられた支持ピン９を支点にして各ウイング３〜８を揺動可能に支持するように構成した場合には、立体ハンガーの不使用時に、各ウイング３〜８を拡開状態から折畳み状態に移行させてコンパクト化することができるため、上記立体ハンガーの保管および搬送等を容易に行うことができる。
【００４３】
そして、各ウイング３〜８の基端部に設けられた半球状の突部１０と、ハンガー本体１に設けられた半球状の第１，第２凹部１７，１８とからなる第１，第２係止部を設け、各ウイング３〜８を拡開状態および折畳み状態に係脱可能に係止することにより、立体ハンガーの使用時に、各ウイング３〜８を水平に拡開した状態に安定して維持することができるとともに、立体ハンガーの不使用時に、各ウイング３〜８を折畳み状態に安定して維持することができる。
【００４４】
なお、上記支持ピン９をハンガー本体１の前面板１０および背面板１１の所定位置に突設するとともに、上記支持ピン９が嵌入される係止孔を各ウイング３〜８の基端部に設けた構造としてもよい。また、ハンガー本体１の前面板１０および背面板１１の所定位置に半球状の第１，第２突部を設けるとともに、各ウイング３〜８の基端部に半球状の凹部を設けることにより、各ウイング３〜８を拡開状態および折畳み状態に係脱可能に係止するように構成してもよい。
【００４５】
また、上記実施形態では、各ウイング３〜８の基端部上面および上記支持ピン９の設置部よりも外側方側に位置する部分の下面に当接して、各ウイング３〜８を水平に拡開した状態に保持する第１，第２突片１９，２０を、ハンガー本体１に設けたため、水洗いされた洋服を保持させる際に各ウイング３〜８に作用する荷重を、上記第１，第２突片１９，２０の設置部において安定して支持し、各ウイング３〜８が破損したり、折れ曲がって設置角度が変化したりするのを確実に防止することができる。なお、上記第１，第２突片１９，２０のいずれか一方を省略した構造としてもよい。
【００４６】
また、上記実施形態では、各ウイング３〜８の設置部に形成された各支持孔１６を、上窄まり形状に形成された上記前面板１０の外側辺部に沿って設置することにより、上記各支持孔１６に挿入される支持ピン９からハンガー本体１の中央部までの距離が下方に位置するものほど次第に大きくなるように、上記各ピン９を配列したため、最上方に位置する第１ウイング３をハンガー本体１の中央部に近い位置において鉛直方向に起立させるとともに、第１ウイング３の下方に位置する第２〜第６ウイング４〜８を、順次ハンガー本体１の外側方に配列して鉛直方向に起立させることにより、各ウイング３〜８を他のウイングに干渉させることなくコンパクトに折畳むことができる。
【００４７】
さらに、上記実施形態では、洋服の荷重が集中的に作用する肩部上端のコーナー部に配設された第５ウイング７の外周部の上下寸法を、他のウイング３〜６，８に比べて大きく形成するとともに、第５ウイング７の前辺部と後辺部とを連結する複数の補強リブ７１を設けることにより、上記荷重に対する第５ウイング７の強度が充分に確保されるように構成したため、この第５ウイング７が洋服の荷重に応じて破損するという事態の発生を効果的に防止することができる。しかも、作用する荷重が小さい他のウイング３〜６，８の上下寸法を小さくすることにより、立体ハンガーの重量を低減することができる。
【００４８】
また、図１１に示すように、上記第５ウイング７に設けられた支持ピン９の設置位置から第５ウイング７の内側端部までの距離Ｌを、他のウイング３〜６，８よりも大きな値に設定した場合には、上記第５ウイング７の基端部を広範囲に亘って上記第１突片１９に当接させることにより、洋服を立体ハンガーに保持させた際に生じる大きな荷重を広範囲に分散させて支持することができるため、上記基端部が破損するのを効果的に防止できるという利点がある。
【００４９】
また、上記実施形態に示すように、ハンガー本体１に設けられた保持板４２に上記襟保形具３０を外嵌して保持させるように構成した場合には、この襟保形具３０を立体ハンガーに保持させた状態で保管することができるため、上記襟保形具３０の紛失を効果的に防止することができる。
【００５０】
【発明の効果】
以上説明したように、請求項１に係る発明は、水洗いされた洋服の襟部を型崩れさせることなく保形する洋服の襟保形具であって、洋服の上襟を内外から挟持する第１挟持板と第２挟持板とを備え、この第１挟持板と第２挟持板とを平面から見て円弧状に湾曲させ、上記第１挟持板および第２挟持板の上辺部に、後方側に向けて突出する突条を設けることにより上記上辺部を断面Ｌ字状に形成し、かつ第１挟持板および第２挟持板の少なくとも一方の上端部に円弧状の膨出部を設けたため、第１挟持板と第２挟持板とにより洋服の上襟を内外から挟持してその折り返し部が捲れ上がるのを防止しつつ、上記上襟を平面から見て円弧状に湾曲させた状態で、洋服を乾燥させることができる。したがって、上記上襟の折り返し部が捲れ上がった状態で洋服が乾燥するのを効果的に防止し、上襟内に配設された芯地が外部に露出する等の型崩れを生じさせることなく、水洗いされた洋服を適正に乾燥することができる。しかも、上記第１挟持板と第２挟持板とを有する襟保形具を、スーツの上衣またはジャケット等の洋服の上襟に対して容易に取り付けることができるという利点がある。
また、上記第１挟持板および第２挟持板の上辺部に設けられた突条によって襟保形具の上部を効果的に補強してその破損を防止することができるとともに、洋服の上襟に取り付けられた襟保形具を取り外す際に、上記突条を取手として利用することにより、上記襟保形具の取外し作業を容易に行うことができる。さらに、上記第１挟持部および第２挟持部を上襟に外嵌する際に、上記円弧状の膨出部を弾性変形させて第２挟持板を揺動変位させることができるため、両挟持板の間隔を広げることによって上記襟保形具の取付作業を容易に行うことができるという利点がある。
【００５１】
また、請求項２に係る発明は、上襟の上端面に沿って伸びる上辺部を設け、この上辺部に、第１挟持板および第２挟持板を一体に突設するとともに、この第１挟持板と第２挟持板との間に上襟を挟持する隙間を設けたため、第１挟持板および第２挟持板を洋服の上襟に外嵌するだけで、この上襟を襟保形具によって適正に保形することができるとともに、上襟に取り付けられた襟保形具を上方に引っ張るだけで容易に取り外すことができる。
【００５２】
また、請求項３に係る発明は、第１挟持板および第２挟持板の少なくとも一方の下端部から外方側に伸びるガイド部を設けたため、上記襟保形具を洋服の上襟に取り付ける際に、上記ガイド部を案内面として使用し、このガイド部を上記上襟に沿って摺動させることにより、襟保形具を洋服の上襟に容易に取り付けることができるという利点がある。
【００５３】
また、請求項４に係る発明は、上記第１挟持板および第２挟持板の一方を左右に配設するとともに、その間に同他方を配設したため、上記第１挟持板と第２挟持板とによって上襟を内外から挟持することにより、この上襟を広範囲に亘って適正に保形でき、かつ所定長さの第１挟持板と第２挟持板とを相対向して設置した場合に比べて、襟保形具の重量を軽量化することができるとともに、洋服の上襟に対して襟保形具を容易に取り付けることができるという利点がある。
【図面の簡単な説明】
【図１】本発明に係る洋服の襟保形具の実施形態を示す斜視図である。
【図２】上記洋服の襟保形具の構成を示す正面図である。
【図３】図２のＡ−Ａ線断面である。
【図４】上記襟保形具の取付状態を示す断面図である。
【図５】上記襟保形具の取付状態を示す正面図である。
【図６】上記襟保形具と同時に使用される立体ハンガーの構成を示す正面図である。
【図７】立体ハンガーの構成を示す平面図である。
【図８】立体ハンガーの構成を示す斜視図である。
【図９】ウイングの構成を示す平面図である。
【図１０】ハンガー本体の構成を示す側面図である。
【図１１】ハンガー本体の構成を示す正面図である。
【図１２】各ウイングの折畳み状態を示す正面図である。
【図１３】各ウイングの折畳み状態を示す斜視図である。
【図１４】吊下用フックの構成を示す説明図である。
【図１５】吊下用フックの取り付け状態を示す説明図である。
【符号の説明】
３０  襟保形具
３１  上辺部
３２  第１挟持板
３３  第２挟持板
３６  ガイド部
３７  隙間
４１  上襟
【図１】
0003919903.tif 000002
【図２】
0003919903.tif 000003
【図３】
0003919903.tif 000004
【図４】
0003919903.tif 000005
【図５】
0003919903.tif 000006
【図６】
0003919903.tif 000007
【図７】
0003919903.tif 000008
【図８】
0003919903.tif 000009
【図９】
0003919903.tif 000010
【図１０】
0003919903.tif 000011
【図１１】
0003919903.tif 000012
【図１２】
0003919903.tif 000013
【図１３】
0003919903.tif 000014
【図１４】
0003919903.tif 000015
【図１５】
0003919903.tif 000016